(57)【特許請求の範囲】
【請求項１】
動物収容用構造物であって、
床部と、
前記床部に対して所定の距離だけ離れて対向する天井部と、
前記床部と前記天井部とにそれぞれ交差して配置され、互いに対向する一対の側面部と、
前記床部と前記天井部と前記一対の側面部とにそれぞれ交差して配置される前面パネル部と、
前記床部と前記天井部と前記一対の側面部とにそれぞれ交差して配置され、前記前面パネル部に対向する背面ドア部と、
を備え、
前記床部と、前記天井部と、前記一対の側面部と、前記前面パネル部と、前記背面ドア部と、により画定される動物収容空間に向かって開口する凹部であって、動物用トイレ装置を載置するための凹部を有する、
動物収容用構造物。
【請求項２】
請求項１に記載の動物収容用構造物において、
前記天井部から前記床部に向かう方向に見たときの前記凹部の大きさは、前記動物用トイレ装置を収容可能な大きさである、
動物収容用構造物。
【請求項３】
請求項１または請求項２に記載の動物収容用構造物において、
前記天井部から前記床部に向かう方向に見たときの前記凹部の外周の形状は、Ｒ形状である、
動物収容用構造物。
【請求項４】
請求項１から請求項３までのいずれか一項に記載の動物収容用構造物において、
前記凹部は、
底面部と、
前記底面部から前記凹部の開口までの間に形成されている側壁部と、
を有し、
前記底面部と前記側壁部との境界部分の、前記天井部から前記床部に向かう方向に沿った断面形状は、Ｒ形状である、
動物収容用構造物。
【請求項５】
請求項１から請求項４までのいずれか一項に記載の動物収容用構造物において、
前記凹部は、
底面部と、
前記底面部から前記凹部の開口までの間に形成されている側壁部と、
を有し、
前記床部において、前記凹部を除いた部分における前記動物収容空間に接する上部面と、前記底面部と、は単一の部材により形成されている、
動物収容用構造物。
【発明の詳細な説明】
【技術分野】
【０００１】
本発明は、動物収容用構造物に関する。
【背景技術】
【０００２】
従来、動物の収容空間が形成された複数の構造物を集合させて成る動物展示室及びペット販売用ブース施設が提案されている（特許文献１ないし３参照）。上記各構造物では、動物の排泄物を吸収するための動物用トイレシートが取り付けられたトレー状の動物用トイレ装置が、床面に置かれて用いられる。
【先行技術文献】
【特許文献】
【０００３】
【特許文献１】特開２０１２−１９７２７号公報
【特許文献２】特開２０１０−１３０９９４号公報
【特許文献３】特開２００４−１８７６９３号公報
【発明の概要】
【発明が解決しようとする課題】
【０００４】
しかし、動物用トイレ装置が床面に置かれている状況では、動物が構造物内の収容空間を動き回る際に、動物用トイレ装置にぶつかり、動物用トイレ装置の位置がずれてしまうおそれがある。このような場合、動物用トイレ装置が構造物の前面のガラスパネル近傍に配置され、動物が収容空間の奥に居ることになり顧客からよく見えなくなるという問題や、排泄物が収容空間の前方に位置することになり顧客の印象を悪くするという問題が発生する。また、動物用トイレ装置の位置がずれる際に、動物用トイレ装置から動物用トイレシートが外れてしまい、構造物の床面が汚れたり、床面の排泄物を動物が踏むなどして動物が汚れたりするという問題が発生する。さらに、これらの問題の発生に伴い、管理者の清掃の手間が増える、あるいは、衛生環境が悪化するといった問題も生じ得る。このため、動物収容用構造物において、動物用トイレ装置の位置ずれを抑制する技術が望まれている。
【課題を解決するための手段】
【０００５】
本発明は、上述の課題の少なくとも一部を解決するためになされたものであり、以下の形態として実現することが可能である。
【０００６】
（１）本発明の一形態によれば、動物収容用構造物が提供される。この動物収容用構造物は、床部と；前記床部に対して所定の距離だけ離れて対向する天井部と；前記床部と前記天井部とにそれぞれ交差して配置され、互いに対向する一対の側面部と；前記床部と前記天井部と前記一対の側面部とにそれぞれ交差して配置される前面パネル部と；前記床部と前記天井部と前記一対の側面部とにそれぞれ交差して配置され、前記前面パネル部に対向する背面ドア部と；を備え、前記床部と、前記天井部と、前記一対の側面部と、前記前面パネル部と、前記背面ドア部と、により画定される動物収容空間に向かって開口する凹部であって、動物用トイレ装置を載置するための凹部を有する。この形態の動物収容用構造物によれば、動物収容用構造物の床部に動物収容空間に向かって開口する、動物用トイレシート装置を載置ための凹部を有するので、かかる凹部に動物用トイレ装置を載置することで、動物が動物用トイレ装置にぶつかった際に、動物用トイレ装置の位置がずれることを抑制できる。
【０００７】
（２）上記形態の動物収容用構造物において、前記天井部から前記床部に向かう方向に見たときの前記凹部の大きさは、前記動物用トイレ装置を収容可能な大きさであってもよい。この形態の動物収容用構造物によれば、天井部から床部に向かう方向に見たときの凹部の大きさは、動物用トイレ装置を収容可能な大きさであるので、天井部から床部に向かう方向に見て、動物用トイレ装置全体を凹部に収容できる。
【０００８】
（３）上記形態の動物収容用構造物において、前記天井部から前記床部に向かう方向に見たときの前記凹部の外周の形状は、Ｒ形状であってもよい。この形態の動物収容用構造物によれば、天井部から床部に向かう方向に見たときの凹部の外周の形状がＲ形状であるため、凹部に付着した汚れを容易に除去できる。
【０００９】
（４）上記形態の動物収容用構造物において、前記凹部は、底面部と；前記底面部から前記凹部の開口までの間に形成されている側壁部と；を有し、前記底面部と前記側壁部との境界部分の、前記天井部から前記床部に向かう方向に沿った断面形状は、Ｒ形状であってもよい。この形態の動物収容用構造物によれば、凹部の底面部と側壁部の境界部分の、天井部から床部に向かう方向に沿った断面形状がＲ形状であるため、凹部に付着した汚れを容易に除去できる。
【００１０】
（５）上記形態の動物収容用構造物において、前記凹部は、底面部と；前記底面部から前記凹部の開口までの間に形成されている側壁部と；を有し、前記床部において、前記凹部を除いた部分における前記動物収容空間に接する上部面と、前記底面部と、は単一の部材により形成されていてもよい。この形態の動物収容用構造物によれば、床部において、上部面と底面部とが単一の部材により形成されているので、上部面と底面部との間に部材と部材の境界が存在することを抑制でき、かかる境界から床部の内部へと動物の排泄物が染み込むことを抑制できる。
【図面の簡単な説明】
【００１１】
【図１】動物展示装置１００の正面図である。
【図２】動物展示装置１００の側面図である。
【図３】動物展示装置１００の背面図である。
【図４】動物展示装置１００の上面図である。
【図５】動物展示装置１００の底面図である。
【図６】床部５１における凹部５４近傍の構成を拡大して示す斜視図である。
【図７】動物用トイレ装置を収容した状態の凹部５４近傍の構成を拡大して示す斜視図である。
【図８】図７に示すＡ−Ａ断面を拡大して示す断面図である。
【図９】変形例における凹部の形状を示す説明図である。
【図１０】変形例における凹部の形状を示す断面図である。
【発明を実施するための形態】
【００１２】
Ａ．実施形態：
本発明の一実施形態としての動物収容用構造物１０を適用した動物展示装置１００の概略構成を、図１から図５を用いて説明する。図１は、動物展示装置１００の正面図である。図２は、動物展示装置１００の側面図である。図３は、動物展示装置１００の背面図である。図４は、動物展示装置１００の上面図である。図５は、動物展示装置１００の底面図である。図１から図５では、使用状態における動物展示装置１００を示している。また、図１から図５では、Ｚ軸が鉛直方向となり、Ｘ−Ｙ平面が水平面と平行になるように、Ｘ軸、Ｙ軸およびＺ軸が設定されている。なお、図２では、動物展示装置１００の左側面を表している。
【００１３】
動物展示装置１００は、動物を収容して展示するために、例えば、ペットショップにおいて用いられる。動物展示装置１００は、互いに同じ構成を有する２つの動物収容用構造物１０を鉛直方向に２つ重ねた構造を有する。図１から図３では、図示の便宜上、上方に位置する動物収容用構造物１０の構成要素にのみ符号を付し、下方に位置する動物収容用構造物の構成要素の符号は省略している。以降では、上方に位置する動物収容用構造物１０について代表して説明する。
【００１４】
図１から図５に示すように、動物収容用構造物１０は、内部に動物を収容するための空間（以下、「動物収容空間ＡＲ１」）と呼ぶ）が形成された中空の箱状の外観形状を有する。動物収容用構造物１０は、床部５１と、天井部４１と、一対の側面部２１ａ、２１ｂと、前面パネル部１１と、背面ドア部３１とを備える。上述の動物収容空間ＡＲ１は、床部５１と、天井部４１と、一対の側面部２１ａ、２１ｂと、前面パネル部１１と、背面ドア部３１とにより画定される。
【００１５】
床部５１は、板状の外観形状を有する。本実施形態において、床部５１は、単一の木製の板状部材により形成されている。図５に示すように、床部５１は、凹部５４を有する。凹部５４は、動物用トイレ装置を載置するために用いられる。凹部５４の詳細構成については、後述する。
【００１６】
図１から図３に示すように、天井部４１は、板状の外観形状を有する。天井部４１は、床部５１に対してＺ軸に沿った方向に所定の距離だけ離れて対向している。図４に示すように、天井部４１は、動物収容空間ＡＲ１に面した面に配置された照明装置４２を備えている。
【００１７】
図１および図３に示すように、一対の側面部２１ａ、２１ｂは、いずれも板状の外観形状を有し、互いに対向して配置されている。一対の側面部２１ａ、２１ｂは、いずれも床部５１と天井部４１とにそれぞれ交差して配置されている。本実施形態において、上述の「交差する」とは、各部の内側面を延長して得られた面同士が交わることを意味する。本実施形態において、一対の側面部２１ａ、２１ｂは、光透過性を有する樹脂製の板状部材により形成されている。
【００１８】
図１、図２および図４に示すように、前面パネル部１１は、板状の外観形状を有する。前面パネル部１１は、一対の側面部２１ａ、２１ｂと同様に、光透過性を有する樹脂製の板状部材により形成されている。前面パネル部１１は、床部５１と天井部４１と一対の側面部２１ａ、２１ｂとにそれぞれ交差して配置されている。
【００１９】
図３に示すように、背面ドア部３１は、観音開きの左扉３１ａおよび右扉３１ｂを備えている。また、背面ドア部３１は、２つのロック３２ａ、３２ｂを備えている。これら２つのロック３２ａ、３２ｂは、左扉３１ａおよび右扉３１ｂの開放を規制するために用いられる。ロック３２ａは、左扉３１ａおよび右扉３１ｂが閉じられた状態において、左扉３１ａおよび右扉３１ｂの境界の上端部において、左扉３１ａおよび右扉３１ｂに亘って配置されている。また、ロック３２ｂは、左扉３１ａおよび右扉３１ｂが閉じられた状態において、左扉３１ａおよび右扉３１ｂの境界の下端部において、左扉３１ａおよび右扉３１ｂに亘って配置されている。左扉３１ａおよび右扉３１ｂには、それぞれ複数の通気孔３３が設けられている。各通気孔３３は、左扉３１ａおよび右扉３１ｂを厚み方向（Ｘ軸方向）に貫通する貫通孔として形成されている。各通気孔３３は、動物収容空間ＡＲ１と外部空間との間における換気のために用いられる。また、各通気孔３３は、動物用の給水装置や、メンテナンス用具を取り付けるために用いられてもよい。
【００２０】
図６は、床部５１における凹部５４近傍の構成を拡大して示す斜視図である。凹部５４は、動物収容空間ＡＲ１に向かって開口し、−Ｚ方向に延びる窪み、すなわち貫通していない穴として形成されている。凹部５４は、前面パネル部１１から背面ドア部３１に向かって見て、すなわち＋Ｘ方向に見て、床部における右側の領域に配置されている。−Ｚ方向に見たときの凹部５４の形状、すなわち、天井部４１から床部５１に向かう方向に見たときの凹部５４の形状は、長手方向がＸ軸方向と平行であり短手方向がＹ軸と平行な長方形である。
【００２１】
−Ｚ方向に見たときの凹部５４の大きさは、動物用トイレ装置を収容可能な大きさである。具体的には、本実施形態では、凹部５４の長手方向の長さ（すなわち、Ｘ軸と平行な方向の長さ）ｄ１は４９センチメートルに、凹部５４の短手方向の長さ（すなわち、Ｙ軸と平行な方向の長さ）ｄ２は３６センチメートルに、凹部５４の奥行きの長さ（すなわち、Ｚ軸と平行な方向の長さ）ｄ３は５センチメートルに、それぞれ設定されている。なお、上述の各長さｄ１、ｄ２およびｄ３を、上記各値に限らず、動物用トイレ装置を収容可能な任意の大きさに設定してもよい。
【００２２】
凹部５４は、底面部５４１と、側壁部５４２とを備えている。底面部５４１は、凹部５４において最も下方、すなわち、最もーＺ方向に位置し、床部５１における凹部５４を除く他の部分において動物収容空間ＡＲ１と面する面（以下、「上部面」と呼ぶ）と平行な面を有する。側壁部５４２は、底面部５４１から凹部５４の開口５４９までの間に形成されたＺ軸方向と平行な面を有する。上述のように、床部５１は単一の板状部材により形成されているため、上部面と底面部との間に部材と部材の境界が存在しない。このため、かかる境界から床部５１の内部に動物の排泄物が浸透することを抑制できる。
【００２３】
図７は、動物用トイレ装置を収容した状態の凹部５４近傍の構成を拡大して示す斜視図である。図８は、図７に示すＡ−Ａ断面を拡大して示す断面図である。凹部５４に収容される動物用トイレ装置７０は、本体部７１と枠部７２とを備え、動物用トイレシート８０が取り付けられる。動物用トイレシート８０の平面視形状は矩形である。本体部７１は、矩形の平面視形状を有する板状の部材である。枠部７２は、矩形の平面視形状を有する貫通孔が中央に形成された枠状の外観形状を有する。枠部７２は、本体部７１と係合するための係合部７２１を有し、かかる係合部７２１により、本体部７１に対して着脱自在に取り付けられる。
【００２４】
動物用トイレ装置７０への動物用トイレシート８０の取り付けは、以下のような手順により行われる。まず、本体部７１の上面に動物用トイレシート８０を載置し、次に、動物用トイレシート８０の縁部を本体部７１に押さえつけるように、枠部７２を動物用トイレシート８０の上から本体部７１に乗せ、係合部７２１により枠部７２を本体部７１に係合させる。これにより、動物用トイレシート８０は、本体部７１からずれないように取り付けられ、また、枠部７２の中央の貫通孔から外部に露出する。このようにして動物用トイレシート８０が取り付けられた動物用トイレ装置７０は、枠部７２の貫通孔から露出した動物用トイレシート８０が上方に位置するように、すなわち、動物収容空間ＡＲ１に面するように、凹部５４に収容されて用いられる。
【００２５】
動物用トイレシート８０の交換は、以下のような手順により行われる。凹部５４から動物用トイレ装置７０を取り出す。枠部７２を本体部７１から取り外す。使用済みの動物用トイレシート８０を本体部７１から取り外し、新たな動物用トイレシート８０を本体部７１に載置する。枠部７２を動物用トイレシート８０の上から本体部７１に乗せて係合部７２１により本体部７１に係合させる。動物用トイレ装置７０を凹部５４に収容する（戻す）。ここで、図８に示すように、動物用トイレ装置７０のＺ軸方向の長さｄ７は、凹部５４のＺ軸方向の長さｄ３よりも大きい。換言すると、凹部５４のＺ軸方向の長さｄ３は、動物用トイレ装置７０のＺ軸方向の長さｄ７よりも小さい。したがって、動物用トイレ装置７０の上方の一部は、凹部５４（床部５１）から＋Ｚ方向に突出している。このため、動物用トイレシート８０の交換等の理由で動物用トイレ装置７０を凹部５４から取り出す際に、動物用トイレ装置７０を容易に取り出すことができる。
【００２６】
図７および図８に示すように、凹部５４には動物用トイレ装置７０の下方側のすべてが収容されている。換言すると、動物用トイレ装置７０の下方側は、いずれの方向においても、凹部５４の底面部５４１または側壁部５４２に対向することとなる。このため、動物収容空間ＡＲ１に収容された動物が動物用トイレ装置７０にぶつかったとしても、動物用トイレ装置７０の位置ずれが抑制される。特に、本実施形態では、図７および図８に示すように、−Ｚ方向に見たときの凹部５４の大きさは、動物用トイレ装置７０の大きさよりも若干大きい程度であるため、動物用トイレ装置７０の位置ずれがより確実に抑制される。
【００２７】
以上説明した実施形態の動物収容用構造物１０は、床部５１に動物収容空間ＡＲ１に向かって開口する、動物用トイレ装置を載置するための凹部５４を有するので、凹部５４に動物用トイレ装置７０を載置することで、動物が動物用トイレ装置７０にぶつかった際に、動物用トイレ装置７０の位置ずれを抑制できる。また、仮に位置ずれが生じた場合であっても、凹部５４内での位置ずれに留まるため、動物用トイレ装置７０から動物用トイレシート８０が外れることを抑制できる。このため、上部面が動物用トイレシート８０に付着した排泄物により汚れることや、かかる面に付着した排泄物を動物が踏むなどして動物が汚れたりすることを抑制できる。
【００２８】
また、−Ｚ方向に見たときの凹部５４の大きさは、動物用トイレ装置７０を収容可能な大きさであるので、−Ｚ方向に見て動物用トイレ装置７０全体を凹部５４に収容できる。このため、凹部５４の位置ずれを確実に抑制できる。加えて、−Ｚ方向に見たときの凹部５４の大きさは、動物用トイレ装置７０の大きさよりも若干大きい程度であるため、動物用トイレ装置７０の位置ずれをより確実に抑制できる。
【００２９】
また、凹部５４のＺ軸方向の長さｄ３は、動物用トイレ装置７０のＺ軸方向の長さｄ７よりも小さいため、動物用トイレ装置７０の上方の一部は、凹部５４（床部５１）から＋Ｚ方向に突出している。このため、動物用トイレシート８０の交換等の理由で動物用トイレ装置７０を凹部５４から取り出す際に、動物用トイレ装置７０を容易に取り出すことができる。
【００３０】
また、上部面と、底面部５４１とは、単一の部材により形成されている。このため、上部面と底面部５４１との間に、部材と部材の境界が存在しないので、かかる境界から動物の排泄物が床部５１の内部に浸透することを抑制できる。
【００３１】
Ｂ．変形例：
Ｂ１．変形例１：
上記実施形態では、動物収容用構造物１０は、鉛直方向に２つ重ねて用いられていたが、本発明はこれに限定されない。動物収容用構造物１０は、１つのみ独立して用いられてもよい。また、Ｎ個（Ｎは、３以上の自然数。以下同じ。）重ねて用いられてもよいし、横にＮ個並べて用いられてもよい。これらの構成においても、動物収容用構造物１０の一つひとつの床部５１に、動物用トイレ装置７０を載置するための凹部５４が形成されているため、実施形態と同様の効果を得ることができる。
【００３２】
Ｂ２．変形例２：
上記実施形態では、凹部５４に動物用トイレ装置７０を載置していたが、動物用トイレ装置７０に代えて、動物用トイレシート８０を凹部５４に直接載置してもよい。この場合、―Ｚ方向に見たときの凹部５４の大きさは、動物用トイレシート８０が収容可能な大きさであればよく、動物用トイレ装置７０を完全に収容できない大きさ、例えば、動物用トイレ装置７０の一部のみを収容し、他の部分がはみ出る程度の大きさであってもよい。動物用トイレシート８０を凹部５４に直接載置する構成では、実施形態と同様な効果を奏するのに加えて、動物用トイレシート８０の交換を容易に行うことができるという効果を奏する。なお、上記実施形態および変形例において、動物用トイレシート８０に代えて、新聞紙や古紙などの、動物の排泄物を吸収可能な任意のシート部材を、動物用トイレ装置７０に取り付けて凹部５４に載置する、あるいは、凹部５４に直接載置してもよい。また、本変形例２における構成、つまり、−Ｚ方向に見たときの凹部５４の大きさが動物用トイレ装置７０を完全に収容できない大きさである構成においても、かかる凹部５４に動物用トイレ装置７０を載置してもよい。この構成では、動物用トイレ装置７０の一部のみが凹部５４に収容されることとなるが、この場合でも、動物用トイレ装置７０の位置ずれを抑制できる。
【００３３】
Ｂ３．変形例３：
上記実施形態では、−Ｚ方向に見たときの凹部の外周の形状は、矩形であったが、本発明はこれに限定されない。図９は、変形例における凹部の形状を示す説明図である。図９（ａ）は、変形例における凹部の第１の態様を示す。また、図９（ｂ）は、変形例における凹部の第２の態様を、図９（ｃ）は、変形例における凹部の第３の態様を、図９（ｄ）は、変形例における凹部の第４の態様を、それぞれ示す。図９（ａ）から図９（ｄ）では、いずれもーＺ方向に見たときの凹部を示している。なお、変形例３における動物収容用構造物の構成は、凹部の形状を除き、上記実施形態の動物収容用構造物１０の構成と同じである。
【００３４】
図９（ａ）に示す変形例における第１の態様では、−Ｚ方向にみたときの凹部５４ａの形状は矩形ではあるが、上記実施形態の凹部５４とはアスペクト比が異なる。加えて、長手方向がＹ軸と平行となり、短手方向がＸ軸と平行となるように配置されている。かかる態様では、凹部５４ａと前面パネル部１１との間に広い床面が存在するので、動物が動物収容空間ＡＲ１の前面側に居ることが多くなり、顧客が動物を良く見ることができる。加えて、排泄物がより背面側に位置する可能性が高くなるため、顧客の印象が悪くなることを抑制できる。なお、上述した変形例の第１の態様において、アスペクト比を凹部５４と同じにしてもよい。
【００３５】
図９（ｂ）に示す変形例における第２の態様では、−Ｚ方向にみたときの凹部５４ｂの形状は、直角に屈曲した略Ｌ字の形状である。かかる態様では、動物用トイレ装置７０の配置態様として、長手方向がＸ軸と平行となる配置態様と、長手方向がＹ軸と平行となる配置態様との合計２つの配置態様を採用し得る。このため、上記実施形態と同様に、前面パネル部１１が顧客と対面する部位となるように動物収容用構造物１０が配置された場合には、動物用トイレ装置７０の長手方向がＹ軸と平行となる配置態様を採用できる。また、上記実施形態とは異なり、２１ａが顧客と対面する部位となるように動物収容用構造物１０が配置された場合には、動物用トイレ装置７０の長手方向がＸ軸と平行となる配置態様を採用できる。このような選択的な配置態様により、動物用トイレ装置７０を顧客からより遠くになるように配置でき、顧客の印象が悪くなることを抑制できる。
【００３６】
図９（ｃ）に示す変形例における第３の態様では、−Ｚ方向に見たときの凹部５４ｃの形状は、略真円である。また、図９（ｄ）に示す変形例における第４の態様では、−Ｚ方向にみたときの凹部５４ｄの形状は、＋Ｘ方向の端部が、いずれも半円形状であり、これら２つの端部の半円の端点同士を２つの直線でつないだ形状である。これら第３および第４の態様の凹部５４ｃ、５４ｄから理解できるように、−Ｚ方向に見たときの凹部の形状として任意のＲ形状を採用してもよい。かかる構成により、仮に底面部５４１又は側壁部５４２に排泄物が付着した場合でも、かかる排泄物を容易に除去できる。なお、Ｒ形状とは、例えば、直線と直線とが交差した部分を有せず、曲線のみで形成された形状又は曲線と直線とが０度で接続する形状を含む広い概念を有する。
【００３７】
Ｂ４．変形例４：
上記実施形態では、凹部５４の底面部５４１と側壁部５４２との境界部分のＺ軸に沿った断面形状は、直線と直線が直角に交わる交差部を有する形状であったが、本発明はこれに限定されない。かかる境界部分の形状を、交差部に変えて曲面で構成されたＲ形状としてもよい。かかる構成によれば、凹部の側壁部から底面部にかけての形状がＲ形状であるため、凹部の底面に付着した汚れを容易に除去できる。
【００３８】
Ｂ５．変形例５：
上記実施形態では、凹部５４のＺ軸の長さｄ３は、動物用トイレ装置７０のＺ軸方向の長さｄ７よりも小さかったが、本発明はこれに限定されない。図１０は、変形例における凹部の形状を示す断面図である。図１０（ａ）は、変形例における凹部の第５の態様を、図１０（ｂ）は、変形例における凹部の第６の態様を、それぞれ示す。図１０（ａ）および図１０（ｂ）では、いずれも図８と同様に、図７に示すＡ−Ａ断面と同じ位置での断面を拡大して示している。なお、変形例４における動物収容用構造物の構成は、凹部の奥行の大きさ、すなわち、Ｚ軸方向の長さにおいて上記実施形態の動物収容用構造物１０の構成と異なり、他の構成要素は、動物収容用構造物１０の構成要素と同じである。
【００３９】
図１０（ａ）に示す変形例における第５の態様では、凹部５４ｅのＺ軸方向の長さｄ３１は、動物用トイレ装置７０のＺ軸方向の長さｄ７と同じである。図１０（ｂ）に示す変形例における第６の態様では、凹部５４ｆのＺ軸方向の長さｄ３２は、動物用トイレ装置７０のＺ軸方向の長さｄ７よりも大きい。これら２つの態様では、動物用トイレ装置７０の上方の一部は、凹部５４ｅ（床部５１）から＋Ｚ方向に突出しないので、動物が動物収容空間ＡＲ１内を動き回る際に動物用トイレ装置７０にぶつかることを抑制できる。また、第５の態様では、凹部５４ｅの側壁部が露わになっていないので、かかる部分に動物が足をひっかけて転倒することを抑制できる。
【００４０】
Ｂ６．変形例６：
上記実施形態では、床部５１は、単一の木製の板状の部材により形成されていたが、木製に限らず、樹脂や金属などの任意の材料により形成された単一の板状部材により形成されてもよい。また、単一の板状部材に代えて、複数の部材が組み合わされて形成されてもよい。例えば、−Ｚ方向に見たときに上記実施形態における凹部５４と同じ大きさの貫通孔を有する第１の板状部材と、かかる貫通孔に対応する部分に貫通孔を有しない第２の板状部材とを接着剤などにより貼り合わせて床部を構成してもよい。この構成においては、第１の板状部材の貫通孔と第２の板状部材の上面とにより凹部が形成される。そして、第１の板状部材における貫通孔に面する厚さ方向の内壁は、側壁部に相当し、第２の板状部材の上面における貫通孔に面する部分は、底面部に相当することとなる。また、床部を複数の部材を組み合わせて構成する他の例としては、例えば、上記実施形態において用いられた凹部５４が形成された木製の板状部材のさらに下方に樹脂製の板状部材を配置し、これら２つの板状部材を接着剤等で貼り合わせて、床部を構成してもよい。
【００４１】
Ｂ７．変形例７：
上記実施形態の動物収容用構造物１０の構成は一例に過ぎず、その効果を奏する範囲において、任意に構成要素を変更および省略してもよい。例えば、一対の側面部２１ａ、２１ｂおよび前面パネル部１１の少なくとも一方を、光透過性を有する板状のガラス材又は光透過性を有しない任意の材料の板状部材により形成してもよい。また、前面パネル部１１を、背面ドア部３１と同様に、１つまたは複数の扉を有する構成としてもよい。また、背面ドア部３１において２つのロック３２ａ、３２ｂを省略してもよい。また、背面ドア部３１において、通気孔３３の数を任意の数にしてもよく、また、通気孔３３を省略してもよい。
【００４２】
本発明は、上述の実施形態および変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４３】
１０…動物収容用構造物
１１…前面パネル部
２１ａ，２１ｂ…側面部
３１…背面ドア部
３１ａ…左扉
３１ｂ…右扉
３２ａ，３２ｂ…ロック
３３…通気孔
４１…天井部
４２…照明装置
５１…床部
５４，５４ａ，５４ｂ，５４ｃ，５４ｄ，５４ｅ，５４ｆ…凹部
７０…動物用トイレ装置
７１…本体部
７２…枠部
８０…動物用トイレシート
１００…動物展示装置
５４１…底面部
５４２…側壁部
５４９…開口
７２１…係合部
ＡＲ１…動物収容空間
【要約】
【課題】動物収容用構造物において、動物用トイレ装置の位置がずれることを抑止する。
【解決手段】動物収容用構造物は、床部と、床部に対して所定の距離だけ離れて対向する天井部と、床部と天井部とにそれぞれ交差して配置され、互いに対向する一対の側面部と、床部と天井部と一対の側面部とにそれぞれ交差して配置される前面パネル部と、床部と天井部と一対の側面部とにそれぞれ交差して配置され、前面パネル部に対向する背面ドア部と、を備え、床部と、天井部と、一対の側面部と、前面パネル部と、背面ドア部と、により画定される動物収容空間に向かって開口する凹部であって、動物用トイレ装置を載置するための凹部を有する。
【選択図】図６【図１】
0005885876.tif 000002
【図２】
0005885876.tif 000003
【図３】
0005885876.tif 000004
【図４】
0005885876.tif 000005
【図５】
0005885876.tif 000006
【図６】
0005885876.tif 000007
【図７】
0005885876.tif 000008
【図８】
0005885876.tif 000009
【図９】
0005885876.tif 000010
【図１０】
0005885876.tif 000011